(57)【特許請求の範囲】
【請求項１】
光ファイバの不良を検出する光通信装置において、
現用光ファイバへ現用光を出力する現用光出力手段と、
前記現用光出力手段の予備となり、予備光ファイバへ予備光を出力する予備光出力手段と、
前記現用光ファイバと前記予備光ファイバとに接続し、前記現用光または前記予備光のいずれかを受信して出力する光出力手段と、
前記現用光を分岐して前記現用光の一部を前記予備光ファイバへ流す光経路手段と、
前記予備光ファイバを流れる前記現用光の一部の光レベルを監視して前記予備光ファイバの不良を検出する不良検出手段と、
を有することを特徴とする光通信装置。
【請求項２】
前記不良検出手段は、前記光レベルがしきい値以下の場合、前記予備光ファイバの不良を検出することを特徴とする請求項１記載の光通信装置。
【請求項３】
前記不良検出手段は、前記予備光ファイバの不良検出において、ヒステリシス動作を行うことを特徴とする請求項２記載の光通信装置。
【請求項４】
前記光出力手段が出力する光信号の光レベルは、前記予備光ファイバを流れる前記現用光の一部の光レベルより大きいことを特徴とする請求項１記載の光通信装置。
【請求項５】
前記光経路手段は、前記予備光を分岐して前記予備光の一部を前記現用光ファイバへさらに流し、
前記不良検出手段は、前記現用光ファイバに流れる前記予備光の一部の光レベルを監視して前記現用光ファイバの不良をさらに検出することを特徴とする請求項１記載の光通信装置。
【発明の詳細な説明】
【技術分野】
【０００１】
本発明は光通信装置に関し、特に光ファイバの不良を検出する光通信装置に関する。
【背景技術】
【０００２】
光通信装置では、装置内で故障が発生してもデータの送受信が行えるように冗長構成をとっているものがある（例えば、特許文献１参照）。
図５は、従来の光通信装置のシステム構成例を示した図である。図に示すように光通信装置１５０は、光送信部１５１ａ，１５１ｂ，…，１５１ｎ、光ファイバ１５４ａａ，１５４ｂａ，１５４ａｂ，１５４ｂｂ，…，１５４ａｎ，１５４ｂｎ、冗長制御部１５５ａ，１５５ｂ，…，１５５ｎ、冗長多重部１５６ａ，１５６ｂ，…，１５６ｎ、光多重部１５７、および装置光出力部１５８を有している。また、光通信装置１６０は、装置光入力部１６１、光分離部１６２、冗長分離部１６３ａ，１６３ｂ，…，１６３ｎ、および光受信部１６４ａ，１６４ｂ，…，１６４ｎを有している。光通信装置１５０，１６０は、ＷＤＭ（Wavelength Division Multiplexing）伝送路１７１によって接続されている。
【０００３】
光送信部１５１ａは、電気信号を光に変換して送信する現用部１５２と予備部１５３とを有している。現用部１５２と予備部１５３のそれぞれは、電気信号を光信号に変換して出力する送信部１５２ａ，１５３ａを有している。送信部１５２ａ，１５３ａには、同じ電気信号が入力されるようになっている。送信部１５２ａ，１５３ａは、同じ構成を有しており、入力される電気信号を同じ波長の光信号に変換して出力する。
【０００４】
また、現用部１５２と予備部１５３のそれぞれは、出力制御部１５２ｂ，１５３ｂを有している。出力制御部１５２ｂ，１５３ｂは、冗長制御部１５５ａの制御によって、送信部１５２ａ，１５３ａから出力される光信号の一方を冗長多重部１５６ａに出力する。
【０００５】
冗長制御部１５５ａは、通常、送信部１５２ａから出力される光信号を冗長多重部１５６ａに出力するよう出力制御部１５２ｂ，１５３ｂを制御する。冗長制御部１５５ａは、送信部１５２ａに故障等が発生すると、送信部１５３ａから出力される信号光を冗長多重部１５６ａに出力するよう出力制御部１５２ｂ，１５３ｂを制御する。
【０００６】
光送信部１５１ｂ，…，１５１ｎは、光送信部１５１ａと同様の構成を有し、現用部と予備部とを備えている。ただし、光送信部１５１ａ，１５１ｂ，…，１５１ｎのそれぞれは、異なる波長で電気信号を光信号に変換し、出力する。また、冗長制御部１５５ｂ，…，１５５ｎは、冗長制御部１５５ａと同様の機能を有する。冗長制御部１５５ｂ，…，１５５ｎは、通常、現用部の光信号を出力するように制御するが、現用部に故障等が発生すると、予備部の光信号を出力するように制御する。
【０００７】
冗長多重部１５６ａは、カプラ１５６ａａを有しており、現用部１５２または予備部１５３から出力される光信号を光多重部１５７に出力する。同様に、冗長多重部１５６ｂ，…，１５６ｎもカプラを有しており、現用部または予備部から出力される光信号を光多重部１５７に出力する。光送信部１５１ａ，１５１ｂ，…，１５１ｎと冗長多重部１５６ａ，１５６ｂ，…，１５６ｎは、光ファイバ１５４ａａ，１５４ｂａ，１５４ａｂ，１５４ｂｂ，…，１５４ａｎ，１５４ｂｎによって接続されている。
【０００８】
光多重部１５７は、冗長多重部１５６ａ，１５６ｂ，…，１５６ｎから出力される光信号を多重し、装置光出力部１５８に出力する。光多重部１５７は、例えば、光フィルタで構成され、冗長多重部１５６ａ，１５６ｂ，…，１５６ｎから出力される異なった波長の光信号を多重する。
【０００９】
装置光出力部１５８は、光多重部１５７から出力される光信号を増幅し、ＷＤＭ伝送路１７１に出力する。
光通信装置１６０の装置光入力部１６１は、ＷＤＭ伝送路１７１からの光信号を受信し、増幅して光分離部１６２に出力する。
【００１０】
光分離部１６２は、例えば、光フィルタで構成され、装置光入力部１６１から出力される波長多重された光信号を波長ごとに分離する。光分離部１６２は、波長ごとに分離した光信号を、冗長分離部１６３ａ，１６３ｂ，…，１６３ｎに出力する。
【００１１】
冗長分離部１６３ａは、カプラ１６３ａａを有しており、光分離部１６２から出力される光信号を同一波長で分離する。冗長分離部１６３ａは、分離した光信号を光受信部１６４ａに出力する。同様に、冗長分離部１６３ｂ，…，１６３ｎもカプラを有しており、光分離部１６２から出力される光信号を同一波長で分離する。
【００１２】
光受信部１６４ａは、光信号を電気信号に変換して出力する現用部１６５と予備部１６６を有している。現用部１６５と予備部１６６のそれぞれは、光信号を電気信号に変換して出力する受信部１６５ａ，１６６ａを有している。受信部１６５ａ，１６６ａには、同じ光信号が入力されるようになっている。受信部１６５ａ，１６６ａは、同じ構成を有しており、入力される光信号を電気信号に変換して後段の回路に出力する。
【特許文献１】特開平６−２１６８４７号公報
【発明の開示】
【発明が解決しようとする課題】
【００１３】
ここで、予備部１５３と冗長多重部１５６ａとを結ぶ光ファイバ１５４ｂａに接続不良や故障などの不良が生じているとする。この状態において、現用部１５２に故障が発生し、予備部１５３に制御が切替えられたとする。この場合、予備部１５３と冗長多重部１５６ａとを結ぶ予備側の光ファイバ１５４ｂａに不良が発生しているため、信号断が発生するという問題点があった。
【００１４】
本発明はこのような点に鑑みてなされたものであり、予備側の光ファイバの不良を検出することができる光通信装置を提供することを目的とする。
【課題を解決するための手段】
【００１５】
上記問題を解決するために、光通信装置が提供される。光通信装置は、現用光ファイバへ現用光を出力する現用光出力手段と、前記現用光出力手段の予備となり、予備光ファイバへ予備光を出力する予備光出力手段と、前記現用光ファイバと前記予備光ファイバとに接続し、前記現用光または前記予備光のいずれかを受信して出力する光出力手段と、前記現用光を分岐して前記現用光の一部を前記予備光ファイバへ流す光経路手段と、前記予備光ファイバを流れる前記現用光の一部の光レベルを監視して前記予備光ファイバの不良を検出する不良検出手段とを備える。
【発明の効果】
【００１７】
本発明の光通信装置では、現用光出力手段から出力される光信号の一部を、予備光ファイバを介して、予備光出力手段に出力する。そして、予備光出力手段に出力された光信号の光レベルに基づいて、予備光ファイバの不良を検出するようにした。これによって、予備光出力手段と光経路手段を結ぶ予備光ファイバの不良を検出することができる。
【発明を実施するための最良の形態】
【００１８】
以下、本発明の原理を図面を参照して詳細に説明する。
図１は、光通信装置の概要を示した図である。図に示すように光通信装置は、現用光出力手段１、予備光出力手段２、現用光ファイバ３ａ、予備光ファイバ３ｂ、光経路手段４、および不良検出手段５を有している。
【００１９】
現用光出力手段１は、電気信号を光信号に変換して出力する。
予備光出力手段２は、現用光出力手段１の予備である。予備光出力手段２は、現用光出力手段１と同じ電気信号が入力され、光信号に変換して出力する。予備光出力手段２は、例えば、現用光出力手段１が故障した場合に、代わりに光信号を出力する。
【００２０】
光経路手段４は、現用光ファイバ３ａによって、現用光出力手段１と接続されている。また、光経路手段４は、予備光ファイバ３ｂによって、予備光出力手段２と接続されている。光経路手段４は、現用光出力手段１から出力される光信号を後段に出力する。また、光経路手段４は、現用光出力手段１が故障した場合には、予備光出力手段２の光信号を後段に出力する。光経路手段４は、現用光出力手段１から出力される光信号を後段に出力するとともに、この光信号の一部を予備光出力手段２へ出力する。
【００２１】
不良検出手段５は、光経路手段４から予備光ファイバ３ｂを介して予備光出力手段２に出力された光信号の光レベルに基づいて、予備光ファイバ３ｂの不良を検出する。例えば、予備光ファイバ３ｂに接続不良が発生すると、予備光出力手段２に出力された光信号の光レベルは低下する。不良検出手段５は、信号光の光レベルがしきい値以下になったか否かを判断することにより、予備光ファイバ３ｂの接続不良を検出することができる。
【００２２】
このように、現用光出力手段１から出力される光信号の一部を、予備光ファイバ３ｂを介して、予備光出力手段２に出力する。そして、予備光出力手段２に出力された光信号の光レベルに基づいて、予備光ファイバ３ｂの不良を検出するようにした。これによって、予備光出力手段２と光経路手段４を結ぶ予備光ファイバ３ｂの不良を検出することができる。
【００２３】
次に、本発明の実施の形態を図面を参照して詳細に説明する。
図２は、光通信装置のシステム構成例を示した図である。図に示すように光通信装置１０は、光送信部１１ａ，１１ｂ，…，１１ｎ、光ファイバ監視部１２ａ，１２ｂ，…，１２ｎ、光ファイバ１３ａａ，１３ｂａ，１３ａｂ，１３ｂｂ，…，１３ａｎ，１３ｂｎ、冗長制御部１４ａ，１４ｂ，…，１４ｎ、冗長多重部１５ａ，１５ｂ，…，１５ｎ、光多重部１６、および装置光出力部１７を有している。また、光通信装置２０は、装置光入力部２１、光分離部２２、冗長分離部２３ａ，２３ｂ，…，２３ｎ、および光受信部２４ａ，２４ｂ，…，２４ｎを有している。光通信装置１０，２０は、ＷＤＭ伝送路３１によって接続されている。
【００２４】
光通信装置１０の冗長制御部１４ａ，１４ｂ，…，１４ｎ、光多重部１６、および装置光出力部１７は、図５で説明した光通信装置１５０の冗長制御部１５５ａ，１５５ｂ，…，１５５ｎ、光多重部１５７、および装置光出力部１５８と同様であり、その説明を省略する。また、光通信装置２０は、図５で説明した光通信装置１６０と同様であり、その説明を省略する。
【００２５】
光送信部１１ａ，１１ｂ，…，１１ｎおよび冗長多重部１５ａ，１５ｂ，…，１５ｎは、図５で示した光通信装置１５０の光送信部１５１ａ，１５１ｂ，…，１５１ｎおよび冗長多重部１５６ａ，１５６ｂ，…，１５６ｎと機能が異なる。また、図２の光通信装置１０は、光ファイバ１３ｂａ，１３ｂｂ，…，１３ｂｎの接続不良や故障などの不良を検出する光ファイバ監視部１２ａ，１２ｂ，…，１２ｎを有しているところが図５で説明した光通信装置１５０と異なる。以下、光送信部１１ａ，１１ｂ，…，１１ｎ、光ファイバ監視部１２ａ，１２ｂ，…，１２ｎ、および冗長多重部１５ａ，１５ｂ，…，１５ｎについて詳細に説明する。
【００２６】
図３は、光送信部、光ファイバ監視部、および冗長多重部の詳細を示した図である。図には、図２で示した光送信部１１ａ、光ファイバ監視部１２ａ、および冗長多重部１５ａが示してある。また、冗長制御部１４ａが示してある。
【００２７】
光送信部１１ａは、電気信号を光に変換して出力する現用部４０および予備部５０を有している。現用部４０および予備部５０のそれぞれは、電気信号を光信号に変換して出力する送信部４１，５１を有している。送信部４１，５１には、同じ電気信号が入力されるようになっている。送信部４１，５１は、同じ構成を有しており、入力される電気信号を同じ波長の光信号に変換して出力する。なお、図中の矢印は、送信部４１から出力される光信号の流れの経路を示している。
【００２８】
また、現用部４０と予備部５０のそれぞれは、出力制御部４２，５２を有している。出力制御部４２，５２は、冗長制御部１４ａの制御によって、送信部４１，５１から出力される光信号の一方を冗長多重部１５ａに出力する。これによって、現用部４０に故障が発生しても、予備部５０によって信号を光通信装置２０に送信することができる。
【００２９】
予備部５０は、カプラ５３およびＰＤ（photo diode）５４を有している。カプラ５３は、送信部５１から出力される光信号を冗長多重部１５ａに出力するとともに、冗長多重部１５ａから出力される光信号をＰＤ５４に出力する。ＰＤ５４は、冗長多重部１５ａから出力される光信号を電気信号に変え、光ファイバ監視部１２ａに出力する。
【００３０】
光ファイバ監視部１２ａは、ＰＤ５４から出力される電気信号を監視する。例えば、光ファイバ監視部１２ａは、ＰＤ５４から出力される電気信号の電圧レベルを監視し、電圧レベルがしきい値以下になったか判断する。光ファイバ監視部１２ａは、電圧レベルがしきい値以下になると、例えば、光ファイバ１３ｂａに不良が発生したことを外部に通知する。
【００３１】
光送信部１１ａおよび冗長多重部１５ａは、コネクタ６１〜６４を有している。光送信部１１ａと冗長多重部１５ａは、コネクタ６１〜６４に接続された光ファイバ１３ａａ，１３ｂａによって接続されている。
【００３２】
冗長多重部１５ａは、カプラ７１〜７３を有している。カプラ７１には、現用部４０から出力される光信号が入力される。カプラ７１は、光信号を分岐して、カプラ７２，７３に出力する。
【００３３】
カプラ７２は、カプラ７１から出力される光信号を予備部５０に出力する。この光信号は、上述したように、予備部５０のカプラ５３によってＰＤ５４に出力される。また、カプラ７２は、予備部５０から出力される光信号をカプラ７３に出力する。カプラ７３は、現用部４０または予備部５０から出力される光信号を図２で示した光多重部１６に出力する。
【００３４】
すなわち、冗長多重部１５ａは、現用部４０から出力される光信号の一部を、光ファイバ１３ｂａを介して予備部５０に出力するようにする。予備部５０は、光信号を電気信号に変換して光ファイバ監視部１２ａに出力する。ここで、光ファイバ１３ｂａのコネクタ６２，６４への接続不良や故障が発生した場合、冗長多重部１５ａから光ファイバ監視部１２ａに出力される光信号の光レベルは低下する。従って、光ファイバ監視部１２ａが、冗長多重部１５ａから出力される信号光の光レベルを監視することにより、光ファイバ１３ｂａの不良を検出することができる。これによって、現用部４０が故障し、予備部５０で光信号を光通信装置２０に送信するようにしても、信号断となる状況を防止することができる。
【００３５】
ここで、光ファイバ監視部１２ａが監視する光レベルの低下は、現用部４０の光出力の異常や、現用側の光ファイバ１３ａａの不良でも起こるが、現用部４０が異常の場合は冗長制御部１４ａで監視しており、現用側の光ファイバ１３ａａの不良の場合は光受信部２４ａで異常を検出できるので、これらの異常や不良と、予備側の光ファイバ１３ａｂの不良との判別が可能である。
【００３６】
なお、現用部４０から冗長多重部１５ａのカプラ７３に出力される光信号は、光通信装置２０に送信されるものであり、カプラ７２に出力される光信号は、光ファイバ１３ｂａの不良検出のために使用するものである。従って、カプラ７３に出力する光信号の光レベルは、カプラ７２に出力するものより大きいものとする。
【００３７】
例えば、現用部４０の送信部４１から出力される光信号の光レベルをＡとする。冗長多重部１５ａのカプラ７１は、光レベルＢの光信号をカプラ７３に出力し、光レベルＣの光信号をカプラ７２に出力するとする。この場合、Ｂ≫Ｃ（Ａ＝Ｂ＋Ｃ）の関係が成り立つ。
【００３８】
次に、光レベルの設定例について説明する。カプラ７１，７２，５３のカプラ分岐比を２０：１とする。送信部４１から出力される光信号の光レベルを１０．０ｄＢｍとすると、カプラ７１からカプラ７３に出力される光信号の光レベルと、カプラ７２に出力される光信号の光レベルは、それぞれ９．６ｄＢｍ、０．４ｄＢｍとなる。カプラ７２から予備部５０に出力される光信号の光レベルは、−１０．８ｄＢｍとなる。カプラ５３からＰＤ５４に出力される光レベルは、−２１．４ｄＢｍとなる。
【００３９】
ここで、光ファイバ監視部１２ａの光ファイバ１３ｂａの不良を検出するしきい値は、余裕をみて、−２５．５ｄＢｍとする。すなわち、光ファイバ監視部１２ａは、ＰＤ５４に入力される光信号のレベルが−２１．４ｄＢｍになると直ちに光ファイバ１３ｂａの不良を検出するのではなく、−２５．５ｄＢｍ以下になって、光ファイバ１３ｂａの不良を検出するようにする。
【００４０】
光ファイバ監視部１２ａは、ヒステリシス動作をさせるようにしてもよい。例えば、光ファイバ監視部１２ａに１ｄＢｍのヒステリシス動作を持たせ、光レベルが−２４．５ｄＢｍを超えると、光ファイバ１３ｂａは、正常に戻ったと判断するようにする。
【００４１】
なお、上記では、光送信部１１ａ、光ファイバ監視部１２ａ、および冗長多重部１５ａについて説明したが、光送信部１１ｂ，…，１１ｎ、光ファイバ監視部１２ｂ，…，１２ｎ、および冗長多重部１５ｂ，…，１５ｎも図３と同様の構成を有しており、その説明を省略する。
【００４２】
次に、光送信部１１ａ、光ファイバ監視部１２ａ、および冗長多重部１５ａの別の例について説明する。図３では、予備側の光ファイバ１３ｂａの不良のみを検出するようにしているが、現用側の光ファイバ１３ａａの不良も検出することが可能である。
【００４３】
図４は、光送信部、光ファイバ監視部、および冗長多重部の別の例を示した図である。図には、光送信部１１ａ、冗長制御部１４ａ、冗長多重部１５ａ、および光ファイバ監視部９１が示してある。図４において、図３と同じものには同じ符号を付し、その説明を省略する。図中の矢印は、送信部５１から出力される光信号の流れの経路を示している。
【００４４】
光送信部１１ａは、電気信号を光に変換して出力する現用部８０および予備部５０を有している。現用部８０は、図３で説明した現用部４０と同様の送信部４１および出力制御部４２を有している。現用部８０では、さらに、カプラ８１およびＰＤ８２を有している。すなわち、現用部８０は、予備部５０と同様の構成を有している。
【００４５】
現用部８０のカプラ８１は、送信部４１から出力される光信号を冗長多重部１５ａに出力するとともに、冗長多重部１５ａから出力される光信号をＰＤ８２に出力する。ＰＤ８２は、冗長多重部１５ａから出力される光信号を電気信号に変え、光ファイバ監視部９１に出力する。
【００４６】
光ファイバ監視部９１は、ＰＤ５４，８２から出力される電気信号を監視する。例えば、光ファイバ監視部９１は、ＰＤ５４，８２から出力される電気信号の電圧レベルを監視し、電圧レベルがしきい値以下になったか判断する。光ファイバ監視部９１は、ＰＤ５４の電圧レベルがしきい値以下になると、例えば、光ファイバ１３ｂａに不良が発生したことを外部に通知する。また、光ファイバ監視部９１は、ＰＤ８２の電圧レベルがしきい値以下になると、例えば、光ファイバ１３ａａに不良が発生したことを外部に通知する。
【００４７】
冗長多重部１５ａは、カプラ１０１〜１０３を有している。カプラ１０１には、現用部８０から出力される光信号が入力される。カプラ１０１は、この光信号を分岐して、カプラ１０２，１０３に出力する。また、カプラ１０１には、カプラ１０２から出力される光信号が入力される。カプラ１０１は、カプラ１０２から出力される光信号を現用部８０に出力する。この光信号は、現用部８０のカプラ８１によってＰＤ８２に出力される。
【００４８】
カプラ１０２は、カプラ１０１から出力される光信号を予備部５０に出力する。この光信号は、予備部５０のカプラ５３によってＰＤ５４に出力される。また、カプラ１０２には、予備部５０から出力される光信号が入力される。カプラ１０２は、この光信号を分岐して、カプラ１０１，１０３に出力する。カプラ１０３は、現用部８０または予備部５０から出力される光信号を図２で示した光多重部１６に出力する。
【００４９】
すなわち、冗長多重部１５ａは、図３で説明したのと同じように、現用部８０の光信号の一部を、予備部５０に出力する。そして、光ファイバ監視部９１は、光ファイバ１３ｂａの不良を検出する。また、冗長多重部１５ａは、予備部５０の光信号の一部を、現用部８０に出力する。そして、光ファイバ監視部９１は、光ファイバ１３ａａの不良を検出する。
【００５０】
例えば、光ファイバ１３ａａのコネクタ６１，６３への接続不良や故障が発生した場合、冗長多重部１５ａから光ファイバ監視部９１に出力される光信号の光レベルは低下する。そこで、光ファイバ監視部９１が、冗長多重部１５ａから出力される信号光の光レベルを監視することにより、光ファイバ１３ａａの不良を検出することができる。
【００５１】
これによって、現用部８０が故障し、予備部５０の光信号を光通信装置２０に送信するようにしても、信号断となる状況を防止することができる。また、現用部８０が正常に戻り、現用部８０の光信号を光通信装置２０に送信するようにしても、信号断となる状況を防止することができる。
【００５２】
なお、カプラ５３，８１，１０１，１０２の光レベルの設定は、図３と同様にすることができる。また、光ファイバ監視部９１は、光ファイバ監視部１２ａと同様に、ヒステリシス動作をさせるようにすることもできる。
【００５３】
このように、現用部から出力される光信号の一部を、光ファイバを介して、予備部に出力する。そして、予備部に出力された光信号の光レベルに基づいて、予備側の光ファイバの不良を検出するようにした。これによって、予備部と冗長多重部とを結ぶ予備側の光ファイバの不良を検出できる。
【００５４】
また、予備側の光ファイバの不良を検出することにより、正常な光ファイバと交換することができるようになり、現用部から予備部に制御が移っても、信号断をすることなく通信を行うことが可能となる。
【００５５】
また、光通信装置では、複雑な電気系の部位（例えば、図２の光送信部１１ａ，１１ｂ，…，１１ｎ）と、比較的簡易な構成の光系の部位とに分けて設計し、故障率が低減されるようになっている。光系の部位である冗長多重部をパッシブ部品であるカプラで構成し、光ファイバの不良を検出するようにしたことにより、故障率の発生を抑制できる。
【００５６】
また、カプラと、ＰＤと、ＰＤから出力される電気レベルを判定する光ファイバ監視部との比較的簡単な構成によって光ファイバの不良を検出するので、部品点数を抑制することができる。
【００５７】
さらに、予備部から出力される光信号の一部を、光ファイバを介して、現用部に出力することによって、現用部と冗長多重部とを結ぶ現用側の光ファイバの不良も検出することができる。
【００５８】
（付記１）  光ファイバの不良を検出する光通信装置において、
光信号を出力する現用光出力手段と、
前記現用光出力手段の予備である予備光出力手段と、
前記現用光出力手段と接続された現用光ファイバと、
前記予備光出力手段と接続された予備光ファイバと、
前記現用光ファイバおよび前記予備光ファイバと接続され、前記光信号を後段に出力するとともに前記現用光出力手段から出力される前記光信号の一部を、前記予備光ファイバを介して前記予備光出力手段へ出力する光経路手段と、
前記光経路手段から前記予備光出力手段に出力された前記光信号の光レベルに基づいて、前記予備光ファイバの不良を検出する不良検出手段と、
を有することを特徴とする光通信装置。
【００５９】
（付記２）  前記不良検出手段は、前記光レベルがしきい値以下の場合、前記予備光ファイバの不良を検出することを特徴とする付記１記載の光通信装置。
（付記３）  前記不良検出手段は、前記予備光ファイバの不良検出において、ヒステリシス動作を行うことを特徴とする付記２記載の光通信装置。
【００６０】
（付記４）  前記後段に出力する前記光信号は、前記予備光出力手段に出力する前記光信号の光レベルより大きいことを特徴とする付記１記載の光通信装置。
（付記５）  前記光経路手段は、前記予備光出力手段から出力される前記光信号の一部を、前記現用光ファイバを介して前記現用光出力手段へ出力し、
前記不良検出手段は、前記光経路手段から前記現用光出力手段に出力された前記光信号の光レベルに基づいて、前記現用光ファイバの不良を検出することを特徴とする付記１記載の光通信装置。
【００６１】
（付記６）  前記現用光出力手段は、複数であってそれぞれ異なる波長の前記光信号を出力し、
前記予備光出力手段は、前記現用光出力手段に対応して複数設けられ、
前記光経路手段は、前記現用光出力手段および前記予備光出力手段のそれぞれに対応して複数設けられ、
前記不良検出手段は、前記光経路手段のそれぞれと接続されている前記予備光ファイバの不良を検出することを特徴とする付記１記載の光通信装置。
【００６２】
（付記７）  前記光経路手段は、カプラによって構成されていることを特徴とする付記１記載の光通信装置。
【図面の簡単な説明】
【００６３】
【図１】光通信装置の概要を示した図である。
【図２】光通信装置のシステム構成例を示した図である。
【図３】光送信部、光ファイバ監視部、および冗長多重部の詳細を示した図である。
【図４】光送信部、光ファイバ監視部、および冗長多重部の別の例を示した図である。
【図５】従来の光通信装置のシステム構成例を示した図である。
【符号の説明】
【００６４】
１  現用光出力手段
２  予備光出力手段
３ａ  現用光ファイバ
３ｂ  予備光ファイバ
４  光経路手段
５  不良検出手段
【図１】
0004704261.tif 000002
【図２】
0004704261.tif 000003
【図３】
0004704261.tif 000004
【図４】
0004704261.tif 000005
【図５】
0004704261.tif 000006